(57)【要約】      （修正有）【課題】電子部品が異常状態になるのを防止することができる、電子装置及び電子部品保護基板を提供する。【解決手段】プリント基板１０ａのパターン配線１３に電子部品２０が半田付されている電子装置において、プリント基板の底面１６の、電子部品が配置された領域が窪みとして形成され、前記プリント基板の板厚が薄い。【選択図】図２
2018207073.tif 000002
【特許請求の範囲】
【請求項１】
プリント基板のパターン配線に電子部品が半田付されている電子装置において、
前記プリント基板の面であって、前記電子部品が配置された領域が窪みとして形成され、この窪み部分の前記プリント基板の板厚を薄く構成している、電子装置。
【請求項２】
前記窪みは、プレス加工により窪んだ部分であり、前記窪みの底部の基板は、非窪み部分より硬い、請求項１記載の電子装置。
【請求項３】
前記窪みは、座ぐり加工により窪んだ部分である、請求項１記載の電子装置。
【請求項４】
前記窪みは、座ぐり加工により窪んだ部分であり、前記プリント基板の前記窪みが形成された面と反対側の面には、補強板が取り付けられている、請求項１記載の電子装置。
【請求項５】
前記窪みは、座ぐり加工又はプレス加工の何れかにより窪んだ部分であり、前記プリント基板の前記窪みが形成された面と反対側の面には、補強板兼アンテナが取り付けられている、請求項１記載の電子装置。
【請求項６】
前記窪みは、座ぐり加工又はプレス加工の何れかにより窪んだ部分であり、前記窪みの段差部が傾斜している、請求項１記載の電子装置。
【請求項７】
前記窪みの縁には、さらに基板厚み方向へ切り込みが形成されている、請求項１記載の電子装置。
【請求項８】
前記窪みは、座ぐり加工又はプレス加工の何れかにより窪んだ部分であり、前記窪みの側を平面視した場合、前記窪みの形状が、楕円、多角形の何れか１つである請求項１記載の電子装置。
【請求項９】
前記窪みを備えるプリント基板が、車の搭載用として用いられている、請求項１記載の電子装置。
【請求項１０】
前記窪みを備えるプリント基板が、携帯端末内蔵用として用いられている、請求項１記載の電子装置。
【発明の詳細な説明】
【技術分野】
【０００１】
本実施形態は、電子装置に関する。
【背景技術】
【０００２】
近年の電子装置は、極めて小型化に製造されている。電子装置としては、パーソナルコンピュータ、タブレットパーソナルコンピュータ、スマートフォーン、ゲーム機器、電子計測装置等のように、民生用、工業用及びインフラ用など多彩に渡っている。
【０００３】
電子装置が小型化できた背景には、その内部に使用される電子部品（チップ部品と称してもよい）及びプリント基板なども小型化、薄型化されていることに要因がある。
【先行技術文献】
【特許文献】
【０００４】
【特許文献１】特開２０００−１５１０６０号公報
【特許文献２】特開２００５−２３５９９７号公報
【発明の概要】
【発明が解決しようとする課題】
【０００５】
ところで、電子部品が取り付けられているプリント基板に外圧や振動与えられ、プリント基板が変位することがある。このような場合、プリント基板に対して半田付により搭載されている電子部品に外圧が加わる、或は電子部品に応力が加わることがある。すると、小型化している電子部品は、外圧や応力に対して大きな影響を受けるために、電子部品が破損したり、電子部品に亀裂が生じたり、さらには電子部品に変形やよじれが生じたりして、異常状態になることがある。
【０００６】
電子部品が異常状態になると、電子部品が熱を持ち、回路故障を生じたり、場合によっては、発煙や、火災に発展し、これによりユーザがやけどを負うことがある。また電子部品自体が動作不能になることもある。電子部品としては、例えばセラミックコンデンサや、抵抗部品、ＩＣチップなどがあげられる。
【０００７】
そこで本実施形態は、電子部品が異常状態になるのを防止することができる、電子装置を提供することを目的とする。
【課題を解決するための手段】
【０００８】
本実施形態の電子装置によれば、プリント基板のパターン配線に電子部品が半田付されている電子装置において、前記プリント基板の面であって、前記電子部品が配置された領域が窪みとして形成され、この窪み部分の前記プリント基板の板厚を薄く構成している。
【図面の簡単な説明】
【０００９】
【図１】図１は本実施形態の電子装置に用いられるプリント基板の加工工程例を概念的に示す説明図である。
【図２】図２は、本実施形態の電子装置に用いられる、加工後のプリント基板に対して電子部品が搭載され、半田付された状態を示す説明図である。
【図３】図３は、本実施形態の電子装置に用いられるプリント基板に外部から応力が加わった場合の状態を示す説明図である。
【図４】図４は本実施形態の電子装置に用いられるプリント基板が多層化プリント基板装置に適用された例を示す図である。
【図５】図５は本実施形態の電子装置に用いられるプリント基板の他の実施例を概念的に示す説明図である。
【図６】図６は本実施形態の電子装置に用いられるプリント基板のさらに他の実施例を概念的に示す説明図である。
【図７】図７は本実施形態の電子装置に用いられるプリント基板のまた他の実施例を概念的に示す説明図である。
【図８】図８は本実施形態の電子装置に用いられるプリント基板のさらにまた他の実施例を概念的に示す説明図である。
【図９】図９は本実施形態の電子装置に用いられるプリント基板のまた他の実施例を概念的に示す説明図である。
【図１０】図１０は本実施形態の電子装置に用いられるプリント基板において、保護対象となる電子部品の配列例を示す図である。
【図１１】図１１は本実施形態が適用される電子装置の各種の例を示す説明図である。
【図１２】図１２は本実施形態が適用される電子装置のさらに各種の例を示す説明図である。
【発明を実施するための形態】
【００１０】
以下、実施の形態について図面を参照して説明する。なお実施形態において、図面では、説明をより明確にするため、実際の態様に比べて、各部の幅、厚さ、形状等について模式的に一例を示しており、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１１】
図１（ａ），図１（ｂ）は、実施形態の電子装置に用いられるプリント基板の加工工程例を概念的に示している。図１（ａ）に示すように、プリント基板１０は、電子部品を配置するための間隔を置いてパターン配線１２、１３が設けられている。パターン配線１２、１３の間は、プレス機５０により、基板厚み方向へプレスされる。このために、電子部品を配置する位置は、窪みを持つ構造となる。この窪みの深さは、例えば約0.1〜1ｍｍ程度である。パターン配線１２、１３は、例えば電源ライン、信号ライン、制御ラインなどが含まれる。窪みの深さは、例えば基板の厚みが１ｍｍ以下であれば、0.2mm程度、或は0.2mm〜0.7mmから任意に選択されてもよい。しかし、これに限定されるものではなく、基板の厚みに応じて例えば約0.1〜1ｍｍ程度でもよい。
【００１２】
図２（ａ）、図２（ｂ）、図２（ｃ）は、上記のように加工されたプリント基板１０ａに対して、電子部品２０が搭載された状態を示している。図２（ａ）は、プリント基板１０ａに窪み１５が形成された状態である。
【００１３】
窪み１５の底面１６と、プリント基板１０ａの裏面１７との間の距離は、ｗ２である。プリント基板１０ａの表面１８と裏面１７との距離はｗ１であり、ｗ１＞ｗ２の関係がある。
【００１４】
また窪み１５の底面１６の領域は、プレスされたために、プレス前よりも強度が増している。
【００１５】
図２（ｂ）は、窪み１５に電子部品２０が配置された様子を示している。また図２（ｃ）は、電子部品２０の端子２０ａ，２０ｂと各端子に対応するパターン配線１２、１３とが半田３２、３３により接続固定された状態を示している。
【００１６】
上記したように、実施形態においては、プリント基板１０ａの面であって、電子部品２０が配置された領域が窪み１５として形成され、プリント基板１０ａの板厚を薄く構成している。
【００１７】
図３は、プリント基板１０ａに圧力或いは応力Ｆ１、Ｆ２が加わり、プリント基板１０ａが変位した様子を示している。このとき、プリント基板１０ａは、応力に対して、窪み１５の縁３５、３６の強度が、他の部分の強度よりも弱くなっている。これは、窪み１５の底部分は、プレス加工されたために強度が増しているからである。窪み１５の縁３５、３６は、基板のウィーク部３５、３６、或は電子部品保護部３５、３６と称されてもよい。
【００１８】
このために、窪み１５の縁３５、３６で変形が生じる。つまり応力Ｆ１、Ｆ２の一部を縁３５、３６が吸収することになる。別の見方では、プリント基板１０ａの変形位置が、電子部品２０の配置位置からずれることになる。
【００１９】
したがって、電子部品２０に対する、応力Ｆ１、Ｆ２による影響が低減される。この結果、従来に比べて、電子部品２０が、破損したり、電子部品に亀裂が生じたり、さらには電子部品に変形やよじれが生じたりして、異常状態になることが防止される。
【００２０】
図４は、上記したプリント基板１０ａが多層化プリント基板装置（プリント基板１０ｂ、１０ｃを伴う）に適用された例を示す図である。
【００２１】
図５（ａ）−図５（ｄ）は、本実施形態の電子装置に用いられるプリント基板の他の実施例であるプリント基板１０ｄを示す。先の実施形態では、プリント基板１０ａに窪み１５がプレス成型により形成された例を示した。しかし、プレス成型に限らず、プリント基板１０ｄの表面の一部を削り取る加工、いわゆる座ぐりと称される加工により、窪みを形成してもよい。図５（ａ）は、座ぐりにより窪み１５が形成されたプリント基板１０ｄを示している。図５（ｂ）は、その窪み１５に電子部品２０を搭載し、その端子２０ａ，２０ｂを半田３２、３３により、パターン配線１２、１３に接続し固定した状態を示している。
【００２２】
この場合も、プリント基板１０ｄは、応力に対して、窪み１５の縁３５、３６の強度が、他の部分の強度よりも弱くなっているので、先の実施形態と同様な効果を得ることができる。
【００２３】
図５（ｃ）は、さらに他の実施例である。座ぐりによる窪み１５は、プレス加工による窪みに比べて、その底の部分の強度が弱くなる場合がある。そこで、プリント基板１０ｄの窪み１５のある基板の裏面に補強板４０を張り付けた実施形態を示している。この補強板４０により、窪み１５の縁３５、３６の強度が、他のエリアに比べて弱くなり、本装置の目的を効果的に達成することができる。
【００２４】
なお補強板４０の活用方法を広げることもできる。例えば、基板１０ｄの裏面側に電波発生源、共振回路などが存在し、これらから発生する電波をシールドしたい場合、補強板４０をシールド板として利用することもできる。さらには、プリント基板１０に送信回路が形成されているような場合、或は、他の近くの基板（積層基板）に送信回路が形成されているような場合、補強板４０をアンテナ素子として活用することも可能である。これにより補強板４０の多面的活用がなされる。
【００２５】
送信回路（送信デバイス或いは送信回路チップ）が基板に形成されるケースは、多々ある。例えば電子装置或いはプリント基板が、センサと一体或いは接続され、送信回路が無線によりインターネットに接続されるようなケースである。つまり、プリント基板は、ＩｏＴ（インターネット・オブ・シング）の一部品として使用されことが可能である。つまり、上記した補強板がネット接続のためのアンテナとして活用されてもよい。
【００２６】
なお、上記の補強板４０は、図２で説明した実施例において用いてもよいことは勿論である。
【００２７】
図５（ｄ）は、さらに他の実施例である。図５（ｃ）の実施例は、座ぐりによる窪み１５を形成した例である。しかし、本実施形態の究極的な効果が達成される構成は、プリント基板であって、搭載されている電子部品の周囲の全体或いは一部の基板部分が、少なくとも電子部品の下部の基板一部よりも強度が弱いという構成を得ることである。これにより、プリント基板に応力或いは変形力が加わったとき、前記強度の弱い基板部分が変形或いは破損し、電子部品に異常な変形は破損が防止されるものである。
【００２８】
したがって、図５（ｄ）に示すように、プリント基板１０に対して窪みを形成することなく、電子部品２０を搭載し、電子部品２０が配置されている面とは反対側の基板面に、補強板４０を張り付けてもよい。この場合も、電子部品２０の周囲の縁３５、３６の強度が、他のエリアに比べて弱くなり、本装置の目的を達成することができる。このときの補強板４０も図５（ｃ）で説明したときと同様に、多面的に活用されることができる。
【００２９】
図６は、プリント基板１０ａプリント基板の面であって、電子部品２０が配置された領域が窪み１５として形成され、プリント基板１０ａの板厚を薄く構成している。プリント基板１０ａは、その材質が樹脂、ガラス繊維強化樹脂などいずれでもよい。
【００３０】
この実施形態では、電子部品２０に対して、窪み１５の面積が広く形成され、窪み１５の段差部１５１に傾斜が設けられている。プリント基板１０ａは、窪み１５が形成された後或は以前にプリント配線１２、１３がなされてもよい。窪み１５が形成された後にプリント配線１２、１３がなされた場合でも、前記傾斜があるためにプリント配線が容易である。また、プリント配線１２、１３が設けられた後に、窪み１５が形成される場合でも、前記傾斜が存在することで、プリント配線１２，１３の断線が生じにくい。
【００３１】
図７（ａ）は、プリント基板１０ａのさらにまた他の実施例を概念的に示す説明図である。この実施形態は、窪み１５をプリント基板１０ａに形成した後、プリント配線１２、１３を施した例である。ただし、窪み１５を形成する際に、プレス機の型に工夫をしている、即ち、窪み１５の底の縁にさらに切り込み１０１ａ，１０１ｂが形成されるような突起を設けている。このために、窪み１５の底の縁は、プリント基板１０ａに応力が加わった際、折れやすく(図３参照）なっている。
【００３２】
図７（ｂ）は、プリント基板１０ａのさらに他の実施例を概念的に示す説明図である。この実施形態は、プリント基板１０ａにまずプリント配線１２、１３を施し、次に、窪み１５を形成した例である。つまりプリント配線１２、１３が施されている上から、プレス機により、窪み１５を形成した例である。この場合も、プレス機の型に突起を設けて、窪み１５の底の縁にさらに切り込み１０１ａ，１０１ｂが形成される工夫を行っている。
【００３３】
このように、プリント配線１２、１３が施されている上から、プレス機により、窪み１５を形成した場合、プレス機の突起により、切り込み１０１ａ，１０１ｂの配線が断線する可能性もある。
【００３４】
そこでこの実施例では、図７（ａ）の実施形態の窪み１５の長さＤ１（電子部品の端子２０ａ，２０ｂ方向の長さ（或いは長手方向））に比べて、窪み１５の長さＤ２（電子部品の端子２０ａ，２０ｂ方向の長さ（或いは長手方向））を、短くしている。このような対策を施すことにより、端子２０ａ，２０ｂとプリント配線１２、１３とを半田付した場合、判断３２、３３が、切り込み１０１ａ，１０１ｂまで流れ込み、配線の断線に起因する接続不良が生じるのを防止することができる。
【００３５】
なお切り込み１０１ａ，１０１ｂが形成される位置を、電子部品の端子方向（或いは長手方向）の両側として説明したが、これに限定されるものではない。電子部品が配置される窪み１５の段差部の縁の全体に設けてもよいし、任意の一部に設けてもよい。
【００３６】
上記した窪み１５は、断面から見た形状である。しかし、窪み１５の形状は、平面視した場合、各種の形状が可能である。
【００３７】
図８（ａ）−図８（e）は、窪み９０の各種形状（９０ａ，９０ｂ，９０ｃ，）の例を示している。図８（ａ）は、図２に示した実施形態のプリント基板１０ａ及び電子部品２０などの構体部を斜視図化したものである。図８（ｂ）は、同図（ａ）の構体部を平面視した状態である。この例では、窪み９０（９０ａ）の平面視形状は、ほぼ楕円形状である。
図８（ｃ）に示す例は、窪み９０（９０ｂ）の平面視形状は、矩形状である。図８（ｄ）に示す例は、窪み９０（９０ｃ）の平面視形状は、ひし形状、若しくは６角形状である。図８（ｅ）に示す例は、窪み９０（９０ｄ）の平面視形状は、８角形状である。また、図示していないが円形状の窪みであってもよい。上記した実施例においては、窪み９０の底面の一部が露呈している場合がある。
【００３８】
上記したように、本実施形態によるとプリント基板に強い力が加わったとき、電子部品２０が破損したり、変位したりすることが防止される。窪み９０の平面視形状は、多角形であってもよい。
【００３９】
図９は、本実施形態の電子装置に用いられるプリント基板のまた他の実施例を概念的に示している。図５（ｄ）に示した実施例では、プリント基板１０に対して窪みを形成することなく、電子部品２０が配置されている面とは反対側の基板面に、補強板４０を張り付けた。
【００４０】
これに対して、図９の実施例は、プリント基板１０に対して窪みを形成することなく、電子部品２０が配置される面に盛り上げ部（凸部）を補強板４０aにより構成している。この場合も、電子部品２０の周囲の縁３５、３６の強度が、他のエリアに比べて変位しやすくなり、本装置の目的を達成することができる。つまり、凸部上に実装したチップ部品２０の場合は、はんだフィレット部が弱くなることで，基板変形の際には、はんだフィレット部が破損し通電不良となり，発煙には至らない。
【００４１】
図１０（ａ）、図１０（ｂ）、図１０（ｃ）は、プリント基板１０ａに対して、複数の電子部品２０，２０，２０・・が搭載される場合の例を示している。図１０（ａ）は、長方形状のプリント基板１０ａの短辺方向に沿って、複数の電子部品２０，２０，２０・・が配列された例である。電子部品２０，２０，２０・・が例えば昇圧用として用いられるセラミックコンデンサである場合がある。このよう場合、複数の電子部品２０，２０，２０・・の一端部は、同一のエッジラインＥＬに沿って配置する方が良い場合がある。これは、プリント基板１０ａに応力が掛かったとき、エッジラインＥＬに沿って一斉に基板が変形（図３のウィーク部３５参照）しやすくなるからである。
【００４２】
図１０（ｂ）は、長方形状のプリント基板１０ａの長編方向に沿って、複数の電子部品２０，２０，２０・・が配列された例である。この場合も複数の電子部品２０，２０，２０・・の一端部は、同一のエッジラインＥＬに沿って配置される。この理由は、先の図９（ａ）の例と同じである。
【００４３】
図１０（ｃ）は、長方形状のプリント基板１０ａの長編及び短辺に交差する方向（斜め方向）に沿って、複数の電子部品２０，２０，２０・・が配列された例である。この場合も複数の電子部品２０，２０，２０・・の一端部は、同一のエッジラインＥＬに沿って配置される。この理由は、先の図１０（ａ）の例と同じである。
【００４４】
上記のエッジラインＥＬは、プリント基板が実装される電子装置や他の機器において、応力が加わりやすい方向、振動が生じる方向に応じて、任意に選択されることが好ましい。
【００４５】
図１１（ａ）は、本実施形態に係る電子装置であり、例えばスマートフォーン４００を概念的に示している。スマートフォーン４００の内部には、プリント基板１０ａが取り付けられている。このプリント基板１０ａに電子部品２０が搭載されている。
【００４６】
図１１（ｂ）は、本実施形態に係る電子装置であり、例えば携帯用のパーソナルコンピュータ４２０を概念的に示している。パーソナルコンピュータ４２０の内部には、プリント基板１０ａが取り付けられている。このプリント基板１０ａに電子部品２０が搭載されている。
【００４７】
上記した携帯電子装置は、使用中に取り落すことがよくあるため、プリント基板に対しえ応力が加わることがある。このような場合、電子部品において、仮に異常状態が生じ、これが放置されると、発熱などの事故が生じるが、本実施形態によると、電子部品が保護されるために、事故が防止される。
【００４８】
図１２（ａ）は、本実施形態に係る電子装置が適用された自動車である。電子装置は、例えば車４４０の運転席の前のダッシュボード内に配置されている。電子装置の内部には、プリント基板１０ａが取り付けられている。このプリント基板１０ａに電子部品２０が搭載されている。
【００４９】
図１２（ｂ）は、本実施形態に係る電子装置が適用された自動車である。電子装置は、例えば車４４０の運転席の前のダッシュボード内に配置されている。電子装置の内部には、プリント基板１０ａが取り付けられている。このプリント基板１０ａに電子部品２０が搭載されている。
【００５０】
上記したように、本実施形態に記載したプリント基板を備える各電子装置は、車（自動車、バス、電車など）の搭載用としてもよく携帯端末内蔵用としても適用可能である。また上記したプリント基板を備える各電子装置の実施形態は、電子部品保護基板として記載することも可能である。
【００５１】
上記実施形態の基本的な思想をまとめる。本実施形態では基板の表面上に表面実装されたチップ部品（例えばチップコンデンサ）において、基板が反った際に、チップ部品周辺を凹ませておく（もしくは凸形状と読み替えてもよい）（窪みを形成する）ことで，チップ部品に応力が加わる前に基板が変形し、チップ部品への負荷を低減，もしくは発生させない構造を持つ基板を提供している。
【００５２】
基板を凹ませることで，均一平面の基板よりも，凹み部周辺の肉厚が薄くなることや，構造変化があることで，凹み部周辺に応力集中が発生し，従来チップ部品内に発生していた応力集中箇所を分散もしくは，移動させることでチップ部品への負担を減らす構造を持たせている。部品を基板表面以下の位置に設置できれば，他部品や部材との不要な接触リスクも低下でき，衝撃や機械的負荷によるクラックも防ぐことがきできる。
【００５３】
凹ませる方法は，基板製造時に予め電源ライン上等重要箇所のチップ部品を選定しておき、実装パッド周辺だけをプレス加工やザクリ加工など，基板成型時において凹ませておく（凸形状は絶縁材料：樹脂，接着剤，セラミックス材料等がある）。
【００５４】
凹み部の形状はチップ部品にあわせた直方体，立方体，円柱，円錐台，三角柱等，等脚台形四角柱等の形状を基板より排除（もしくは追加）することで成型している。排除方法は切削機械やレーザ等を用いた切削加工や，プレス加工，薬液を用いたエッチング加工である。凸形状は絶縁材料追加による。
【００５５】
チップ部品は従来のように平面上のパッドではなく、凹部内もしくは凸部にマウント、表面実装されるため、半田のフィレット形状が異なり、凹形状では従来よりも広い面積で半田付けされる。
【００５６】
プレス加工の場合はチップ部品下部の基板密度を高められるため、チップ部品下部を通常の基板よりも固く保つことができ，基板変形への耐性が高くなる。凸形状でも追加材料によりチップ部品は補強される。
【００５７】
凹み部にチップ部品を実装した状態で基板を変形させると，凹み部外周に応力集中が発生するため，はんだ接合部への負荷の割合が従来よりも高くなり、許容量を超えた場合でも、チップ部品のクラックよりも早くはんだ部が破壊するため，通電不良が発生するだけで，発煙には至らない。
【００５８】
凸部上に実装したチップ部品の場合は、はんだフィレット部が弱くなることで，基板変形の際には，はんだフィレット部が破損し通電不良となり，発煙には至らない。
【００５９】
基板裏面にチップ部品の変形を抑制できる範囲となるよう，硬質（金属，セラミックス等）板もしくは塊を埋め込む、もしくは貼り付けるようにしてもよい。
【００６０】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また、複数の実施形態を組み合わせることも可能である。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００６１】
１０ａ−１０ｄ・・・プリント基板、
１２、１３・・・プリント配線、
１５、９０・・・窪み、
１６・・・底面
２０・・・電子部品、
２０ａ，２０ｂ・・・端子、
３２、３３・・・半田、
３５、３６・・・縁、
１０１ａ、１０１ｂ・・・切り込み、
１５１・・・段差部。
【図１】
2018207073.tif 000003
【図２】
2018207073.tif 000004
【図３】
2018207073.tif 000005
【図４】
2018207073.tif 000006
【図５】
2018207073.tif 000007
【図６】
2018207073.tif 000008
【図７】
2018207073.tif 000009
【図８】
2018207073.tif 000010
【図９】
2018207073.tif 000011
【図１０】
2018207073.tif 000012
【図１１】
2018207073.tif 000013
【図１２】
2018207073.tif 000014